(57)【要約】      （修正有）【課題】圃場に供給すべき農薬や肥料等の適正な使用方法等の有用な情報を、使用者に対してよりタイムリーに提示することが可能で、また、個々の農家が他の優れた農家のノウハウ等を簡単に習得することが可能な情報提示装置、情報提示方法、コンピュータプログラム、農業教示システム、及び農業教示方法を提供する。【解決手段】本発明は、所定の品目を栽培するための圃場に供給すべき農薬及び肥料の少なくとも何れか一方の供給物質の使用前に、使用者に対して当該供給物質の使用制限に関する使用制限情報を提示し且つ当該供給物質の少なくとも使用量を示す使用量情報を記憶する情報提示装置であって、使用回数記憶手段と、表示手段と、提示手段と、入力要求手段と、使用情報記憶手段とを備える。【選択図】図１
2009028005.tif 000002
【特許請求の範囲】
【請求項１】
所定の品目を栽培するための圃場に供給すべき農薬及び肥料の少なくとも何れか一方の供給物質の使用前に、使用者に対して当該供給物質の使用制限に関する使用制限情報を提示し且つ当該供給物質の少なくとも使用量を示す使用量情報を記憶する情報提示装置であって、
複数の前記供給物質のそれぞれについての使用制限回数及び使用実績回数を記憶する使用回数記憶手段と、
使用者により入力手段を介して選択された圃場に対して使用可能な一又は複数の前記供給物質を示す供給物質情報を表示させる表示手段と、
前記表示された供給物質のうちから選択された一の前記供給物質についての使用制限回数に基づく使用制限情報を提示する提示手段と、
前記選択された一の前記供給物質についての使用実績回数が使用制限回数に達していない場合には、当該供給物質の少なくとも使用量の入力を使用者に対して促す入力要求手段と、
前記促しに応じて前記使用者により入力手段を介して入力された使用量を示す使用量情報を、前記圃場を示す圃場情報に対応付けて記憶し且つ当該供給物質についての使用実績回数に１加算して記憶する使用情報記憶手段と、
を備えることを特徴とする情報提示装置。
【請求項２】
請求項１に記載の情報提示装置において、
前記表示手段は、前記圃場に対して予め設定された一又は複数の害敵を示す情報を表示すると共に、前記表示された害敵のうちから選択された一の前記害敵に対して有効な一又は複数の前記供給物質を示す情報を表示させることを特徴とする情報提示装置。
【請求項３】
請求項１又は２に記載の情報提示装置において、
前記使用回数記憶手段は、さらに、各前記供給物質の含有成分のそれぞれについての使用制限回数及び使用実績回数を記憶し、
前記入力要求手段は、前記選択された一の前記供給物質の含有成分についての使用実績回数が使用制限回数に達していない場合には、当該供給物質の少なくとも使用量の入力を促すことを特徴とする情報提示装置。
【請求項４】
請求項３に記載の情報提示装置において、
前記含有成分のそれぞれについての使用制限回数及び使用実績回数は、複数の前記供給物質間で共通することを特徴とする情報提示装置。
【請求項５】
請求項１乃至４の何れか一項に記載の情報提示装置において、
前記表示手段は、前記選択された圃場に対して予め設定された面積に応じた前記供給物質の推奨使用量の範囲を表示させ、
前記促しに応じて前記使用者により入力手段を介して入力された使用量が前記推奨使用量の範囲内にあるか否かを判別する判別手段を更に備え、
前記入力された使用量が前記推奨使用量の範囲内にない場合、前記使用情報記憶手段は、当該使用量を示す使用量情報を記憶せず、前記表示手段は、エラー表示を行うことを特徴とする情報提示装置。
【請求項６】
請求項１乃至５の何れか一項に記載の情報提示装置において、
前記表示手段は、使用者からの入力手段を介した指示に応じて、前記記憶された前記使用量情報を前記圃場毎に表示させることを特徴とする情報提示装置。
【請求項７】
請求項１乃至６の何れか一項に記載の情報提示装置において、
前記提示手段は、前記供給物質の使用時期に基づく使用制限情報を提示することを特徴とする情報提示装置。
【請求項８】
請求項１乃至７の何れか一項に記載の情報提示装置において、
前記圃場に対して使用可能な一又は複数の前記供給物質を示す供給物質情報、前記圃場の栽培計画情報を含む圃場に関する情報、及び前記使用者に関する情報が、事前に登録されていることを特徴とする情報提示装置。
【請求項９】
所定の品目を栽培するための圃場に供給すべき農薬及び肥料の少なくとも何れか一方の供給物質の使用前に、使用者に対して当該供給物質の使用制限に関する使用制限情報を提示し且つ当該供給物質の少なくとも使用量を示す使用量情報を記憶する情報提示方法であって、
複数の前記供給物質のそれぞれについての使用制限回数及び使用実績回数を記憶する工程と、
使用者により入力手段を介して選択された圃場に対して使用可能な一又は複数の前記供給物質を示す供給物質情報を表示させる工程と、
前記表示された供給物質のうちから選択された一の前記供給物質についての使用制限回数に基づく使用制限情報を提示する工程と、
前記選択された一の前記供給物質についての使用実績回数が使用制限回数に達していない場合には、当該供給物質の少なくとも使用量の入力を使用者に対して促す工程と、
前記促しに応じて前記使用者により入力手段を介して入力された使用量を示す使用量情報を、前記圃場を示す圃場情報に対応付けて記憶し且つ当該供給物質についての使用実績回数に１加算して記憶する工程と、
を備えることを特徴とする情報提示方法。
【請求項１０】
コンピュータを、請求項１乃至８の何れか一項に記載の情報提示装置として機能させることを特徴とするコンピュータプログラム。
【請求項１１】
請求項１乃至８の何れか一項に記載の情報提示装置において記憶されている前記使用者に関する情報、前記供給物質に関する情報、前記圃場に関する情報、当該圃場における作業についての記帳情報、及び当該圃場の土壌情報を取得し当該情報に基づいて所定の処理を行う情報処理装置を備える農業教示システムであって、
前記情報処理装置は、
前記使用者に関する情報、前記供給物質に関する情報、前記圃場に関する情報、前記記帳情報、及び前記土壌情報のうちの少なくとも何れか１つの情報を複数の前記情報提示装置から取得する情報取得手段と、
前記複数の前記情報提示装置から取得した情報を表示させる制御手段と、
を備えることを特徴とする農業教示システム。
【請求項１２】
請求項１１に記載の農業教示システムにおいて、
前記情報処理装置は、前記閲覧データを、ネットワークを介して接続された端末装置に送信して表示させるものであって、
前記情報処理装置は、前記端末装置において指定された条件を満たす圃場を特定し、当該特定した圃場についての情報を抽出する抽出手段を更に備え、
前記制御手段は、前記抽出した情報が対比可能なように一覧形式で記述された閲覧データを作成してこれを前記端末装置に送信して表示させることを特徴とする農業教示システム。
【請求項１３】
請求項１乃至８の何れか一項に記載の情報提示装置において記憶されている、生産者の圃場における作業についての記帳情報を取得し当該情報に基づいて所定の処理を行う情報処理装置を備える農業教示システムであって、
前記情報処理装置は、
前記記帳情報を複数の前記情報提示装置から取得する情報取得手段と、
前記取得された記帳情報から計算対象のパラメータを抽出し、抽出したパラメータに基づいて生産者毎の評価値を算出する評価値算出手段と、
前記算出された評価値に基づく情報を表示させる制御手段と、
を備えることを特徴とする農業教示システム。
【請求項１４】
請求項１３に記載の農業教示システムにおいて、
前記抽出されるパラメータは複数種類あり、
前記評価値算出手段は、各前記パラメータに応じた重み付けを前記評価値の算出に用いることを特徴とする農業教示システム。
【請求項１５】
請求項１３又は１４に記載の農業教示システムにおいて、
前記抽出されるパラメータは複数種類あり、
前記評価値算出手段は、各前記パラメータの大小に応じて算出される得点を積算して前記評価値を算出することを特徴とする農業教示システム。
【請求項１６】
請求項１３乃至１５の何れか一項に記載の農業教示システムにおいて、
前記制御手段は、前記算出された評価値のうち最も高い評価値に対応する生産者に関する情報を表示させることを特徴とする農業教示システム。
【請求項１７】
請求項１乃至８の何れか一項に記載の情報提示装置において記憶されている前記使用者に関する情報、前記供給物質に関する情報、前記圃場に関する情報、当該圃場における作業についての記帳情報、及び当該圃場の土壌情報を取得し当該情報に基づいて所定の処理を行う情報処理装置を用いた農業教示方法であって、
前記情報処理装置は、
前記使用者に関する情報、前記供給物質に関する情報、前記圃場に関する情報、前記記帳情報、及び前記土壌情報のうちの少なくとも何れか１つの情報を複数の前記情報提示装置から取得する工程と、
前記複数の前記情報提示装置から取得した情報を表示させる工程と、
を備えることを特徴とする農業教示方法。
【請求項１８】
請求項１乃至８の何れか一項に記載の情報提示装置において記憶されている、生産者の圃場における作業についての記帳情報を取得し当該情報に基づいて所定の処理を行う情報処理装置を用いた農業教示方法であって、
前記情報処理装置は、
前記記帳情報を複数の前記情報提示装置から取得する工程と、
前記取得された記帳情報から計算対象のパラメータを抽出し、抽出したパラメータに基づいて生産者毎の評価値を算出する工程と、
前記算出された評価値に基づく情報を表示させる工程と、
を備えることを特徴とする農業教示方法。
【請求項１９】
コンピュータを、請求項１１乃至１６の何れか一項に記載の農業教示システムに備えられる情報処理装置として機能させることを特徴とするコンピュータプログラム。
【発明の詳細な説明】
【技術分野】
【０００１】
農作物等の品目を栽培するための圃場に供給すべき農薬及び肥料の少なくとも何れか一方の供給物質の適正な使用方法等の有用な情報を、使用者に提示することが可能な情報提示装置及び農業教示システム等の技術分野に関する。
【背景技術】
【０００２】
近年、就職難という問題や日本国の食物自給率が低いという問題等を受けて、若年層の間でも農業に対する関心が非常に高まっており、Ｕターン就農を望む者や農業への新規参入を望む者が増加してきている。しかしながら、素人が農業に従事していくことは簡単なことでなく、Ｕターン就農を望む者や農業への新規参入を望む者は、様々な農業技術、ノウハウ等を習得する必要がある。また、農薬取締法の改正や、栽培履歴の記帳運動を含め農業環境が大きく変わろうとしている。
【０００３】
一方で、従来から、農業に従事する者を支援することが可能なコンピュータシステムが種々提案されている。一例として、特許文献１には、各農作物生産者の各農地において生産される農作物の種類、品種、作付け面積、過去の収穫実績及び各農地における輪作形態等の生産情報を記録した生産情報データベースと、食品製造業者等の各需要者が必要とする農作物の種類、品種、使用時期及び使用量等を記録した需要情報データベースを備え、最低生産量算出手段により前記生産情報に基づいてそれぞれの時期の各農地における各農作物の最低生産量の予測値を算出し、該予測値に基づいて、供給配分決定手段により需要者への農作物の供給配分を農作物の種類、品種、供給可能時期毎に決定する農業支援システムが開示されている。
【特許文献１】特開２００５−１５１８５１号公報
【発明の開示】
【発明が解決しようとする課題】
【０００４】
しかしながら、従来、個々の農家に対して、例えば圃場に供給すべき農薬や肥料等の適正な使用方法等の有用な情報を、使用者に対してよりタイムリーに提示することが可能な装置及びシステム等は知られておらず、また、個々の農家が他の優れた農家のノウハウ等を簡単に習得することが可能な装置及びシステム等は知られていなかった。
【０００５】
本発明は、以上の点に鑑みてなされたものであり、圃場に供給すべき農薬や肥料等の適正な使用方法等の有用な情報を、使用者に対してよりタイムリーに提示することが可能で、また、個々の農家が他の優れた農家のノウハウ等を簡単に習得することが可能な情報提示装置、情報提示方法、コンピュータプログラム、農業教示システム、及び農業教示方法を提供することを課題とする。
【課題を解決するための手段】
【０００６】
上記課題を解決するために、請求項１に記載の発明は、所定の品目を栽培するための圃場に供給すべき農薬及び肥料の少なくとも何れか一方の供給物質の使用前に、使用者に対して当該供給物質の使用制限に関する使用制限情報を提示し且つ当該供給物質の少なくとも使用量を示す使用量情報を記憶する情報提示装置であって、複数の前記供給物質のそれぞれについての使用制限回数及び使用実績回数を記憶する使用回数記憶手段と、使用者により入力手段を介して選択された圃場に対して使用可能な一又は複数の前記供給物質を示す供給物質情報を表示させる表示手段と、前記表示された供給物質のうちから選択された一の前記供給物質についての使用制限回数に基づく使用制限情報を提示する提示手段と、前記選択された一の前記供給物質についての使用実績回数が使用制限回数に達していない場合には、当該供給物質の少なくとも使用量の入力を使用者に対して促す入力要求手段と、前記促しに応じて前記使用者により入力手段を介して入力された使用量を示す使用量情報を、前記圃場を示す圃場情報に対応付けて記憶し且つ当該供給物質についての使用実績回数に１加算して記憶する使用情報記憶手段と、を備えることを特徴とする。
【０００７】
請求項２に記載の発明は、請求項１に記載の情報提示装置において、前記表示手段は、前記圃場に対して予め設定された一又は複数の害敵を示す情報を表示すると共に、前記表示された害敵のうちから選択された一の前記害敵に対して有効な一又は複数の前記供給物質を示す情報を表示させることを特徴とする。
【０００８】
請求項３に記載の発明は、請求項１又は２に記載の情報提示装置において、前記使用回数記憶手段は、さらに、各前記供給物質の含有成分のそれぞれについての使用制限回数及び使用実績回数を記憶し、前記入力要求手段は、前記選択された一の前記供給物質の含有成分についての使用実績回数が使用制限回数に達していない場合には、当該供給物質の少なくとも使用量の入力を促すことを特徴とする。
【０００９】
請求項４に記載の発明は、請求項３に記載の情報提示装置において、前記含有成分のそれぞれについての使用制限回数及び使用実績回数は、複数の前記供給物質間で共通することを特徴とする。
【００１０】
請求項５に記載の発明は、請求項１乃至４の何れか一項に記載の情報提示装置において、前記表示手段は、前記選択された圃場に対して予め設定された面積に応じた前記供給物質の推奨使用量の範囲を表示させ、前記促しに応じて前記使用者により入力手段を介して入力された使用量が前記推奨使用量の範囲内にあるか否かを判別する判別手段を更に備え、前記入力された使用量が前記推奨使用量の範囲内にない場合、前記使用情報記憶手段は、当該使用量を示す使用量情報を記憶せず、前記表示手段は、エラー表示を行うことを特徴とする。
【００１１】
請求項６に記載の発明は、請求項１乃至５の何れか一項に記載の情報提示装置において、前記表示手段は、使用者からの入力手段を介した指示に応じて、前記記憶された前記使用量情報を前記圃場毎に表示させることを特徴とする。
【００１２】
請求項７に記載の発明は、請求項１乃至６の何れか一項に記載の情報提示装置において、前記提示手段は、前記供給物質の使用時期に基づく使用制限情報を提示することを特徴とする。
【００１３】
請求項８に記載の発明は、請求項１乃至７の何れか一項に記載の情報提示装置において、前記圃場に対して使用可能な一又は複数の前記供給物質を示す供給物質情報、前記圃場の栽培計画情報を含む圃場に関する情報、及び前記使用者に関する情報が、事前に登録されていることを特徴とする。
【００１４】
請求項９に記載の発明は、所定の品目を栽培するための圃場に供給すべき農薬及び肥料の少なくとも何れか一方の供給物質の使用前に、使用者に対して当該供給物質の使用制限に関する使用制限情報を提示し且つ当該供給物質の少なくとも使用量を示す使用量情報を記憶する情報提示方法であって、複数の前記供給物質のそれぞれについての使用制限回数及び使用実績回数を記憶する工程と、使用者により入力手段を介して選択された圃場に対して使用可能な一又は複数の前記供給物質を示す供給物質情報を表示させる工程と、前記表示された供給物質のうちから選択された一の前記供給物質についての使用制限回数に基づく使用制限情報を提示する工程と、前記選択された一の前記供給物質についての使用実績回数が使用制限回数に達していない場合には、当該供給物質の少なくとも使用量の入力を使用者に対して促す工程と、前記促しに応じて前記使用者により入力手段を介して入力された使用量を示す使用量情報を、前記圃場を示す圃場情報に対応付けて記憶し且つ当該供給物質についての使用実績回数に１加算して記憶する工程と、を備えることを特徴とする。
【００１５】
請求項１０に記載のコンピュータプログラムの発明は、コンピュータを、請求項１乃至８の何れか一項に記載の情報提示装置として機能させることを特徴とする。
【００１６】
請求項１１に記載の発明は、請求項１乃至８の何れか一項に記載の情報提示装置において記憶されている前記使用者に関する情報、前記供給物質に関する情報、前記圃場に関する情報、当該圃場における作業についての記帳情報、及び当該圃場の土壌情報を取得し当該情報に基づいて所定の処理を行う情報処理装置を備える農業教示システムであって、前記情報処理装置は、前記使用者に関する情報、前記供給物質に関する情報、前記圃場に関する情報、前記記帳情報、及び前記土壌情報のうちの少なくとも何れか１つの情報を複数の前記情報提示装置から取得する情報取得手段と、前記複数の前記情報提示装置から取得した情報を表示させる制御手段と、を備えることを特徴とする。
【００１７】
請求項１２に記載の発明は、請求項１１に記載の農業教示システムにおいて、前記情報処理装置は、前記閲覧データを、ネットワークを介して接続された端末装置に送信して表示させるものであって、前記情報処理装置は、前記端末装置において指定された条件を満たす圃場を特定し、当該特定した圃場についての情報を抽出する抽出手段を更に備え、前記制御手段は、前記抽出した情報が対比可能なように一覧形式で記述された閲覧データを作成してこれを前記端末装置に送信して表示させることを特徴とする。
【００１８】
請求項１３に記載の発明は、請求項１乃至８の何れか一項に記載の情報提示装置において記憶されている、生産者の圃場における作業についての記帳情報を取得し当該情報に基づいて所定の処理を行う情報処理装置を備える農業教示システムであって、前記情報処理装置は、前記記帳情報を複数の前記情報提示装置から取得する情報取得手段と、前記取得された記帳情報から計算対象のパラメータを抽出し、抽出したパラメータに基づいて生産者毎の評価値を算出する評価値算出手段と、前記算出された評価値に基づく情報を表示させる制御手段と、を備えることを特徴とする。
【００１９】
請求項１４に記載の発明は、請求項１３に記載の農業教示システムにおいて、前記抽出されるパラメータは複数種類あり、前記評価値算出手段は、各前記パラメータに応じた重み付けを前記評価値の算出に用いることを特徴とする。
【００２０】
請求項１５に記載の発明は、請求項１３又は１４に記載の農業教示システムにおいて、前記抽出されるパラメータは複数種類あり、前記評価値算出手段は、各前記パラメータの大小に応じて算出される得点を積算して前記評価値を算出することを特徴とする。
【００２１】
請求項１６に記載の発明は、請求項１３乃至１５の何れか一項に記載の農業教示システムにおいて、前記制御手段は、前記算出された評価値のうち最も高い評価値に対応する生産者に関する情報を表示させることを特徴とする。
【００２２】
請求項１７に記載の発明は、請求項１乃至８の何れか一項に記載の情報提示装置において記憶されている前記使用者に関する情報、前記供給物質に関する情報、前記圃場に関する情報、当該圃場における作業についての記帳情報、及び当該圃場の土壌情報を取得し当該情報に基づいて所定の処理を行う情報処理装置を用いた農業教示方法であって、前記情報処理装置は、前記使用者に関する情報、前記供給物質に関する情報、前記圃場に関する情報、前記記帳情報、及び前記土壌情報のうちの少なくとも何れか１つの情報を複数の前記情報提示装置から取得する工程と、前記複数の前記情報提示装置から取得した情報を表示させる工程と、を備えることを特徴とする。
【００２３】
請求項１８に記載の発明は、請求項１乃至８の何れか一項に記載の情報提示装置において記憶されている、生産者の圃場における作業についての記帳情報を取得し当該情報に基づいて所定の処理を行う情報処理装置を用いた農業教示方法であって、前記情報処理装置は、前記記帳情報を複数の前記情報提示装置から取得する工程と、前記取得された記帳情報から計算対象のパラメータを抽出し、抽出したパラメータに基づいて生産者毎の評価値を算出する工程と、前記算出された評価値に基づく情報を表示させる工程と、を備えることを特徴とする。
【００２４】
請求項１９に記載のコンピュータプログラムの発明は、コンピュータを、請求項１１乃至１６の何れか一項に記載の農業教示システムに備えられる情報処理装置として機能させることを特徴とする。
【発明の効果】
【００２５】
請求項１から１０に係る発明によれば、ある品目の栽培に当たって、例えば土作り、播種、定植、施肥、防虫、防菌、除草、収穫、又は出荷等の作業を行う作業者は、情報提示装置を使用して、当該作業に関する記録を簡単に行うことができる。そして、その記録の際、情報提示装置は、圃場に供給すべき供給物質の適正な使用方法等の有用な情報を、作業者に対してよりタイムリーに提示することができ、しかも、作業者が圃場に対して供給物資を過剰に散布することを事前に防止することができる。
【００２６】
また、請求項１１〜１９に係る発明によれば、個々の農家が他の優れた農家のノウハウ等を簡単に習得することができる。
【発明を実施するための最良の形態】
【００２７】
以下、図面を参照して本発明の最良の実施形態について詳細に説明する。
[１.農業教示システムの概要]
先ず、図１を参照して、農業教示システムの概要について説明する。
【００２８】
図１は、本発明の一実施形態に係る農業教示システムＳに概要構成例を示す図である。
【００２９】
図１に示すように、携帯型端末１ｋ（ｋ＝１，２，・・・ｎ（自然数）の何れか）、パーソナルコンピュータ（以下、ＰＣという）２ｋ、及び情報管理サーバ３等を備えて構成されている。なお、携帯型端末１ｋは、本発明における情報提示装置を構成する一例であり、情報管理サーバ３は、本発明における情報処理装置を構成する一例であり、ＰＣ２ｋは、本発明における端末装置を構成する一例である。
【００３０】
携帯型端末１ｋは、専用ケーブル（例えば、ＵＳＢケーブル）を介してＰＣ２ｋに接続しＰＣ２ｋとの間でデータの送受信を行うことが可能になっている。また、携帯型端末１ｋ間では、無線通信（例えば、赤外線による無線通信、或いはBluetoothによる無線通信等）によりデータの送受信を行うことが可能になっている。一方、ＰＣ２ｋは、ブラウザを有し、インターネット等から構築されるネットワークＮＷを介して情報管理サーバ３に接続し、情報管理サーバ３との間でデータの送受信を行うことが可能になっている。なお、携帯型端末１ｋ及びＰＣ２ｋは、各農家の使用者（作業者）Ｕｋにより使用される。
【００３１】
そして、各農家の使用者Ｕｋは、携帯型端末１ｋを用いて、所定の品目（例えば、みず菜、トマト、きゅうり等の農作物）の栽培計画を立て、栽培記録を行うことができるようになっている。
【００３２】
この栽培計画では、使用者Ｕｋは、品目の栽培のための各種作業の計画を立てその期間を記録することができる。一方、栽培記録では、使用者Ｕｋは、上記各種作業を実際に行う年月日等を記録することができる。
【００３３】
また、栽培は、育苗ステージと、圃場（品目を栽培するための場所）ステージに大別される。育苗ステージにおける作業としては、例えば、土作り、播種、施肥、防虫、防菌、除草、及び圃場への定植が挙げられる。また、圃場ステージにおける作業としては、例えば、土作り、播種、定植、施肥、防虫、防菌、除草、収穫、及び出荷が挙げられる。
【００３４】
また、栽培記録には、作業前に行う事前記録（通常記録）と作業後に行う事後記録がある。
【００３５】
事前記録の場合、携帯型端末１ｋは、例えば圃場ステージにおいて圃場に供給（散布）すべき農薬及び肥料の少なくとも何れか一方の供給物質（以下、「資材」という）の使用前（つまり、施肥、防虫、防菌、又は除草等の作業前）に、使用者Ｕｋの操作指示にしたがって当該使用者Ｕｋに対して当該資材の使用制限に関する使用制限情報を提示し且つその資材の使用年月日を示す使用年月日情報、及び資材の少なくとも使用量を示す使用量情報をメモリに記憶したり、または、例えば育苗ステージにおいて品目としての苗に供給すべき資材の使用前（つまり、施肥、防虫、防菌、又は除草等の作業前）に、使用者Ｕｋの操作指示にしたがって当該使用者Ｕｋに対して当該資材の使用制限に関する使用制限情報を提示し且つその資材の使用年月日を示す使用年月日情報、及び資材の少なくとも使用量を示す使用量情報を記憶するようになっている。
【００３６】
一方、事後記録の場合、携帯型端末１ｋは、例えば圃場ステージ又は育苗ステージにおいて供給すべき資材の使用後（つまり、施肥、防虫、防菌、又は除草等の作業後）に、使用者Ｕｋの操作指示にしたがって当該使用者Ｕｋに対して当該資材の使用制限に関する使用制限情報を提示し且つその資材の使用年月日を示す使用年月日情報、及び資材の少なくとも使用量を示す使用量情報を記憶するようになっている。
【００３７】
なお、資材が農薬の場合、後述するように、使用量の他にも、使用者Ｕｋの操作指示にしたがって農薬の希釈倍率を示す希釈倍率情報等も記憶される。また、農薬といった場合、希釈化された農薬（例えば、２０００倍に希釈された農薬）も含み、希釈された農薬の場合、上記使用量は希釈された農薬の使用量を示す。
【００３８】
更に、品目の収穫作業後の事後記録では、携帯型端末１ｋは、圃場ステージにおいて収穫された品目の収穫量を示す収穫量情報、及び出荷量を示す出荷量情報等も使用者Ｕｋの操作指示にしたがって記憶することになる。
【００３９】
以上のように携帯型端末１ｋに記憶された各種情報は、各携帯型端末１ｋから各ＰＣ２ｋ経由で情報管理サーバ３に集約、整理等されて各使用者Ｕｋに提供されることになる。
[２. 携帯型端末１ｋの構成及び機能等]
次に、図２等を参照して、携帯型端末１ｋの構成及び機能等について説明する。
【００４０】
図２は、携帯型端末１ｋの概要構成例を示す図である。
【００４１】
図２に示すように、携帯型端末１ｋは、使用者からの操作指示を受け付ける各種操作ボタンを備える入力手段としての操作部１０１、各種情報を表示するディスプレイを備える表示部１０２、各種情報を音声出力するスピーカを備える音声処理部１０３、他の携帯型端末１ｋとの間で無線通信を行うための無線通信部１０４、ＰＣ２ｋに接続するためのＰＣ接続部１０５、バーコードを読み取るバーコードリーダ１０６、オペレーティングシステム（Ｏ／Ｓ），各種プログラム及びデータ等を記憶する記憶部（例えば、ハードディスク或いはメモリカード）１０７（本発明における使用回数記憶手段及び使用情報記憶手段の一例）、ＣＰＵ，ＲＯＭ，及びＲＡＭ等から構成された制御部１０８、及び携帯型端末１ｋの各部に電源を供給する電源部（例えば、充電電池）１０９等を備えて構成されており、これらの構成要素は、システムバス１１０を介して相互に接続されている。このような構成の携帯型端末１ｋは、使用時には使用者により持ち運ばれる一方、非使用時には図示しない専用のクレードル（Cradle）にセットされることにより電源部１０９に充電されるようになっている。
【００４２】
記憶部１０７には、農薬の基礎情報（農薬に関する情報）が格納される農薬情報ファイル、肥料の基礎情報（肥料に関する情報）が格納される肥料情報ファイル、使用者の基礎情報（使用者に関する情報）が格納される使用者情報ファイル、圃場の基礎情報及び栽培計画情報（圃場に関する情報）が格納される圃場情報ファイル、作業についての記帳情報が格納される記帳情報ファイル、及び圃場の土壌情報が格納される土壌情報ファイル等が記憶されている。
（２．１  各ファイルの内容）
図３は、農薬情報ファイル及び肥料情報ファイルに格納される情報例を示す図である。
【００４３】
図３に示すように、農薬情報ファイル５１及び肥料情報ファイル５２は、品目を示す品目情報（例えば、品目の名称及び品目に一意に割り当てられた品目ＩＤ（例えばバーコード））に対応付け（紐付け）られており品目毎に存在する。また、農薬情報ファイル５１に規定される農薬、及び肥料情報ファイル５２に規定される肥料は、上記対応付けられた品目に対して効果があるとして選定されたものである。また、農薬情報ファイル５１にて規定される農薬は一つとは限らず、品目によっては複数規定される場合もある（肥料情報ファイル５２についても同様）。農薬情報ファイル及び肥料情報ファイルは、品目情報に対応付けずに、品目とは独立して設けるようにしても良い。
【００４４】
また、図３の例では、農薬情報ファイル５１には、農薬を示す農薬情報（例えば、農薬の名称及び農薬に一意に割り当てられた農薬ＩＤ（例えばバーコード））、農薬の使用量（推奨使用量）を示す推奨使用量情報、農薬の使用制限回数を示す使用制限回数情報、農薬の使用制限時期を示す使用制限時期情報、農薬の希釈倍率（推奨希釈倍率）を示す推奨希釈倍率情報、農薬の含有成分を示す含有成分情報（例えば、含有成分の名称）、農薬の適用害敵（例えば、害虫）を示す適用害敵情報（例えば、当該害敵の名称）、農薬使用に当たっての使用制限等の注意事項を記したコメントを示すコメント情報、農薬の単価を示す単価情報、及び農薬の荷姿を示す荷姿情報等が登録（格納（農薬毎に対応付けられて格納））されるようになっている。
【００４５】
ここで、農薬の使用量は、例えば単位面積当たりの推奨使用量の範囲（例えば、１０ａ当たり１００〜３００ｌ（リットル））で規定される。また、農薬の使用制限回数は、例えば一ステージにおいて使用可能な上限回数で規定され、当該回数が多い農薬もあれば少ない農薬もある。また、農薬の使用制限時期は、例えば所定の作業（収穫）の数日前というように日で規定される。農薬の希釈倍率は、例えば推奨希釈倍率の範囲（例えば、２０００〜３０００倍）で規定される。また、農薬の含有成分は、例えば複数規定され、含有成分毎に、当該含有成分の使用制限回数を示す使用制限回数情報（例えば、使用可能な上限回数で規定）が対応付けられている。
【００４６】
一方、図３の例では、肥料情報ファイル５２には、肥料を示す肥料情報（例えば、肥料の名称）、肥料の使用量（推奨使用量）を示す推奨使用量情報、肥料の使用制限回数を示す使用制限回数情報、肥料のＮＰＫ（窒素、リン酸、カリ）値を示すＮＰＫ情報、肥料の有機窒素割合を示す有機窒素割合情報、肥料使用に当たっての注意事項を記したコメントを示すコメント情報、肥料の単価を示す単価情報、及び肥料の荷姿を示す荷姿情報等が登録（格納（肥料毎に対応付けられて格納））されるようになっている。なお、図３の例では、肥料については、農薬のように、使用制限時期が規定されていないが、これを規定する場合もある。また、肥料については、含有成分及びその使用制限回数が規定されていないが規定される場合もある。
【００４７】
なお、農薬情報ファイル５１と肥料情報ファイル５２は、例えばシステム管理者により作成され、例えば使用者Ｕｋによる携帯型端末１ｋの入手時（例えば、購入時又は貸与時）に記憶部１０７に事前記憶されるか、或いは、情報管理サーバ３からＰＣ２ｋ経由で携帯型端末１ｋに提供され記憶部１０７に記憶されることになる。また、農薬情報ファイル５１と肥料情報ファイル５２には、携帯型端末１ｋにおいても、使用者Ｕｋによる操作部１０１からの入力により上記基礎情報を追加することができる。更に、農薬情報ファイル５１と肥料情報ファイル５２は、例えば携帯型端末１１から携帯型端末１２に無線通信部１０４を介して提供可能になっている。
【００４８】
図４は、使用者情報ファイル、圃場情報ファイル、記帳情報ファイル、及び土壌情報ファイルに格納される情報例を示す図である。
【００４９】
図４に示すように、使用者情報ファイル５３及び圃場情報ファイル５４は、携帯型端末１ｋの使用者Ｕｋに対して一意に割り当てられた使用者ＩＤに対応付け（紐付け）られている。
【００５０】
また、図４の例では、使用者情報ファイル５３には、使用者Ｕｋの氏名、地域（例えば、都道府県で示したり、これより広い範囲（例えば関東、関西）で示される）、住所等（電話番号及び電子メールアドレスを含む）、年代（例えば、３０代、年齢でも良い）を示す情報が登録（格納）されるようになっている。かかる使用者情報ファイル５３は、例えば使用者Ｕｋによる携帯型端末１ｋの入手時（例えば、購入時又は貸与時）に記憶部１０７に事前記憶されるか、或いは、使用者Ｕｋによる操作部１０１からの入力により記憶される。
【００５１】
一方、圃場情報ファイル５４には、圃場を示す圃場情報（例えば、圃場の名称及び品目に一意に割り当てられた圃場ＩＤ（例えばバーコード））、当該圃場で栽培される品目を示す品目情報、圃場が存在する地番（例えば、町名で示したり、地域より狭い範囲（例えば芝公園２丁目、芝公園１丁目）で示される）を示す地番情報、圃場の住所を示す住所情報、圃場の面積を示す面積情報、圃場における作業計画期間を示す作業計画期間情報等が登録（格納（圃場毎に対応付けられて格納））されるようになっている。かかる圃場情報ファイル５４は、使用者Ｕｋによる操作部１０１からの、圃場情報、品目情報、地域情報、及び住所情報の入力により作成され、記憶されるようになっている。また、圃場情報ファイル５４に登録される圃場は一つとは限らず、使用者Ｕｋによっては複数登録される場合もある。
【００５２】
また、上記圃場における作業計画期間は、例えば当該圃場における各種作業毎の開始予定期間及び終了予定期間（各種作業の計画期間を総合したものが栽培期間となる）であり、上述した栽培計画において、使用者Ｕｋによる操作部１０１から入力により圃場情報ファイル５４に登録されるようになっている。
【００５３】
更に、記帳情報ファイル５５及び土壌情報ファイル５６は、圃場を示す圃場情報に対応付け（紐付け）られており圃場毎に存在する。図４の例では、記帳情報ファイル５５には、種々ある作業のうち、圃場ステージにおける防虫、施肥、収穫、出荷について示されている（その他にも、土作り、播種、定植、防菌、除草等が登録可能である）。また、育苗ステージにおける各種作業についての記帳情報ファイルもあるが、これについては図示を省略している。
【００５４】
ここで、防虫については、当該作業を示す作業情報（例えば、作業の名称）、使用資材（つまり、農薬）を示す使用資材情報、当該資材の使用年月日を示す使用年月日情報、当該資材の使用量を示す使用量情報、当該資材の希釈倍率を示す希釈倍率情報、及び防虫の発生状況（例えば、多い、少ない等）を示す発生状況情報が登録（格納）されている（なお、この他にも使用者により入力されたコメント（例えば、気温、湿度等の情報）を登録できる）。
【００５５】
また、施肥については、当該作業を示す作業情報（例えば、作業の名称）、使用資材（つまり、肥料）を示す使用資材情報、当該資材の使用年月日を示す使用年月日情報、及び当該資材の使用量を示す使用量情報が登録（格納）されている（なお、この他にも使用者により入力されたコメント（例えば、気温、湿度等の情報）、肥料のＮＰＫ値を示すＮＰＫ情報、及び肥料の有機窒素割合を示す有機窒素割合情報を登録できる）。
【００５６】
また、収穫については、当該作業を示す作業情報、当該圃場における品目の収穫年月日を示す収穫年月日情報、及び当該品目の収穫量を示す収穫量情報が登録（格納）されている。また、出荷については、当該作業を示す作業情報、当該品目の出荷年月日を示す出荷年月日情報、当該品目の出荷量を示す出荷量情報、及び当該品目の取引金額を示す取引金額情報が登録（格納）されている。
【００５７】
これらの記帳情報は、上述した栽培記録（事前記録又は事後記録）において、使用者Ｕｋによる操作部１０１からの入力（記帳）により記帳情報ファイル５５に格納される。
【００５８】
また、土壌情報ファイル５６には、当該圃場における品目の栽培前の土壌診断値（例えば、例えば当該圃場における土壌のＮＰＫ値）を示す栽培前土壌診断値情報、及び当該圃場における品目の栽培後の土壌診断値を示す栽培後土壌診断値情報等が登録（格納）されている。
【００５９】
ところで、防虫、防菌、及び除草の作業において（総称して防除という）圃場で使用される農薬の使用制限回数及び当該農薬の含有成分の使用制限回数は、それぞれ、上記農薬情報ファイル５１により決められているため、農薬の使用実績回数及び含有成分の使用実績回数が、それらの使用制限回数をそれぞれ上回らないように管理される。
（２．２  管理テーブルの内容）
図５は、農薬及び含有成分の使用制限回数と使用実績回数を管理するための管理テーブル（農薬情報に対応付けて使用制限回数と使用実績回数を管理）の一例を示す図である。このような管理テーブルは、例えば制御部１０８におけるＲＡＭの所定の記憶領域に展開されるようになっており、記憶部１０２に記憶保存される。
【００６０】
図５（Ａ）の例は、農薬Ａに対応する管理テーブルを示しており、農薬Ａの使用制限回数及びその含有成分αの使用制限回数はともに「５」になっており、農薬Ａの使用実績回数は「２」に、その含有成分αの使用実績回数は「３」になっている。一方、図５（Ｂ）の例は、農薬Ｂに対応する管理テーブルを示しており、農薬Ｂの使用制限回数及びその含有成分βの使用制限回数はともに「４」になっており、農薬Ｂの含有成分αの使用制限回数は「５」になっている。そして、農薬Ｂの使用実績回数及びその含有成分βの使用制限回数はともに「１」になっており、農薬Ｂの含有成分αの使用実績回数は「３」になっている。なお、含有成分αは、農薬Ａ及び農薬Ｂの双方に含まれる。
【００６１】
例えば防虫において農薬Ａの使用に係る記帳が行われた場合、図５（Ａ）の管理テーブルにおいて、当該農薬Ａの使用実績回数に１加算され（「２」→「３」になる）、かつ当該農薬Ａの含有成分αの使用実績回数にも１加算される（「３」→「４」になる）とともに、図５（Ｂ）の管理テーブルにおいて、当該農薬Ｂの含有成分αの使用実績回数にも１加算される（「３」→「４」になる）ことになる。つまり、含有成分のそれぞれについての使用制限回数及び使用実績回数は、複数の農薬間で共通するようになっている。
【００６２】
なお、図５の管理テーブルでは、各農薬毎に含有成分の使用制限回数及び使用制限回数を管理しているが、含有成分を農薬とは独立させて管理しても良い。
（２．３  携帯型端末１ｋの動作）
以上の携帯型端末１ｋの構成において、制御部１０８は、記憶部１０７に記憶されたプログラムを読み出し実行することにより、使用者Ｕｋによる操作部１０１からの操作指示にしたがって、栽培計画及び栽培記録を行うための処理を行うようになっており、本発明における表示手段、提示手段、判別手段、及び入力要求手段として機能するようになっている。
【００６３】
制御部１０８は、使用者Ｕｋによる操作部１０１らの操作指示にしたがって表示部１０２におけるディスプレイ上に画面を表示させる制御を行う。
【００６４】
図６は、表示部１０２におけるディスプレイ上に表示された画面の遷移例の一部を示す図である。
【００６５】
携帯型端末１ｋにおいて電源オンがなされると、栽培計画及び栽培記録等を行うためのプログラムが起動し、ログイン処理（例えば、使用者Ｕｋが自身の使用者ＩＤ及びパスワードを入力することにより）後、例えば図６に示すような画面６１（中央の画面）が表示される。かかる画面６１には、３つの項目選択部６１ａ，６１ｂ，６１ｃが設けられている。使用者Ｕｋは、操作部１０１を操作して各項目選択部６１ａ，６１ｂ，６１ｃに設けられた矢印ボタン６１ｄ，６１ｅ，６１ｆを指定して、それぞれプルダウン表示される項目リストの中から所望の項目を選択することにより、例えば図６に示すような画面６２〜６５が表示されることになる。なお、この他にも事前登録画面等種々あるが図示を省略する。また、画面６１〜６５には、通常記録（事前記録）と事後記録の何れか一方を選択するためのラジオボタン（画面６１の符号６１ｇ及び６１ｈ部）が設けられており、更に、項目選択部６１ａ，６１ｂ，６１ｃにおいて選択された３つの項目の組み合わせに応じた処理を実行させるための選択ボタン（画面６１の選択ボタン６１ｉ）が設けられている。
【００６６】
そして、例えば、項目選択部６１ａ，６１ｂ，６１ｃにおいて、例えば、図６に示す画面６２のように、それぞれ、栽培計画、栽培計画、及び栽培計画の立案が選択された後、使用者Ｕｋにより選択ボタンが指定されると、圃場における作業計画期間等を入力するための画面に遷移され当該作業計画期間等が登録（圃場情報ファイル５４に登録）可能になっている。
【００６７】
また、例えば、使用者Ｕｋは、項目選択部６１ａ，６１ｂにおいて、それぞれ、栽培記録及び育苗ステージを選択した後、項目選択部６１ｃにおいて、図６に示す画面６３のようにプルダウン表示された作業項目リスト６３ａの中から栽培記録を行うべき作業を選択することができるようになっており、当該作業の選択後、選択ボタンを指定すると、育苗ステージにおける当該選択された作業についての記録を行うための画面に移行される。一方、例えば、使用者Ｕｋは、項目選択部６１ａ，６１ｂにおいて、それぞれ、栽培記録及び圃場ステージを選択した後、項目選択部６１ｃにおいて、図６に示す画面６４のようにプルダウン表示された作業項目リスト６４ａの中から栽培記録を行うべき作業を選択することができるようになっており、当該作業の選択後、選択ボタンを指定すると、圃場ステージにおける当該選択された作業についての記録を行うための画面に移行される。
【００６８】
図７は、圃場ステージにおける作業についての記録を行うための画面の遷移例を示す図である。
【００６９】
ここで、図７及び図８を参照して、圃場ステージにおける防虫の作業についての事前記録（通常記録）が行われる場合の制御部１０８の処理を説明する。なお、図８は、圃場ステージにおける防虫の作業についての事前記録のための処理の一例を示すフローチャートである。
【００７０】
図６に示す画面６４において、栽培記録、圃場ステージ、及び防虫が選択された後、使用者Ｕｋにより選択ボタンが指定されると、制御部１０８は、図８に示す処理を開始し、当該作業を示す作業情報を一時ＲＡＭの所定領域に格納し（後に記帳情報ファイル５５に登録するため）、圃場選択等の処理を行う（ステップＳ１）。この圃場選択等の処理において、制御部１０８は、先ず、対象となる（例えば、作業計画期間（例えば、2007/09/01-2007/10/01）が現時点を含む圃場）圃場の名称及びこれに対応付けられている品目（当該圃場で栽培される品目）の名称を上述した圃場情報ファイル５４から読み込んで当該圃場の名称等が表示された図７に示す画面７１を表示部１０２におけるディスプレイ上に表示させる。
【００７１】
図７の例では、画面７１における圃場リスト欄７１ａに、上記読み込まれた圃場及び品目の名称のリストが表示されており、当該リストにおける各圃場及び品目の名称は、使用者Ｕｋによる操作部１０１の操作により上下移動するカーソル７１ｂにより選択可能になっている。
【００７２】
また、使用者Ｕｋは、操作部１０１を操作してバーコードリーダ１０６により、圃場に割り当てられたバーコードを読み取らせることができる。バーコードリーダ１０６よりバーコードが読み取られると、制御部１１は、当該バーコードに対応する圃場の名称を圃場情報ファイル５４から検索して当該圃場の名称及びこれに対応付けられている品目の名称を圃場リスト欄７１ａの表示させる（例えば、圃場リスト欄７１ａの最上段に表示）。これによれば、例えば多くの圃場が登録されていた場合であっても、使用者Ｕｋはカーソル７１ｂを移動させて圃場リスト欄７１ａ中から所望の圃場を探す手間を省くことができる。なお、読み取られたバーコードは、バーコード入力部７１ｃに表示されることになる。このようなバーコードは、例えば使用者Ｕｋの自宅や圃場近辺の壁等に張られた圃場マップに掲載される。図９は、ある使用者Ｕｋの圃場マップの一例を示す図である。
【００７３】
また、図７に示す画面７１には、参照ボタン７１ｄが設けられており、使用者Ｕｋが操作部１０１を操作して参照ボタン７１ｄを指定すると、カーソル７１ｂにより名称が選択されている圃場について既に登録された情報を閲覧するための圃場カレンダの画面（例えば、後述する図１０に示す画面８２）が表示されることになる。
【００７４】
更に、図７に示す画面７１には、選択ボタン７１ｅが設けられており、使用者Ｕｋが操作部１０１を操作して選択ボタン７１ｅを指定すると、制御部１０８は、カーソル７１ｂにより名称が選択されている圃場を選択し、当該圃場を示す圃場情報を上記ＲＡＭに一時格納された作業情報に対応付けて格納し、農薬選択等の処理（ステップＳ２）に移行する。
【００７５】
この農薬選択等の処理において、制御部１０８は、先ず、上記選択された圃場に対して使用可能な一又は複数の農薬の名称を農薬情報ファイル５１から読み込んで当該農薬の名称等が表示された図７に示す画面７２を表示部１０２におけるディスプレイ上に表示させる。なお、圃場に対して使用可能な農薬は、当該圃場に対応付けられている品目情報に対応付けられている農薬である。
【００７６】
図７に示す画面７２には、農薬検索タブ７２ａと害敵検索タブ７２ｂが設けられており、画面７２は農薬検索タブ７２ａが選択（デフォルト設定）されている場合の画面である。
【００７７】
図７の例では、画面７２における農薬リスト欄７２ｃに、上記読み込まれた農薬の名称のリストが表示されており、当該リストにおける各農薬の名称は、使用者Ｕｋによる操作部１０１の操作により上下移動するカーソル７２ｄにより選択可能になっている。また、当該カーソル７２ｄで名称が選択された農薬については、その使用実績回数及び使用制限回数が管理テーブルから取得され、図７に示す画面７２における使用実績回数表示欄７２ｅに使用実績回数が表示され、使用制限回数表示欄７２ｆに使用制限回数が表示されるようになっている（画面７３でも同様）。
【００７８】
また、使用者Ｕｋは、操作部１０１を操作してバーコードリーダ１０６により、農薬に割り当てらたバーコード（例えば、農薬の容器の外側表面に記載）を読み取らせることができる。バーコードリーダ１０６よりバーコードが読み取られると、制御部１１は、当該バーコードに対応する農薬の名称を農薬情報ファイル５１から検索して当該農薬の名称を農薬リスト欄７２ｃの表示させる（例えば、農薬リスト欄７２ｃの最上段に表示）。
【００７９】
更に、図７に示す画面７２には、次へボタン７２ｈが設けられており、使用者Ｕｋが操作部１０１を操作して次へボタン７２ｈを指定すると、制御部１０８は、カーソル７２ｄにより名称が選択されている農薬を選択し、選択された農薬を使用者Ｕｋに確認させるための画面７４の表示を経て（画面７４に設けられた“はい”ボタン７４ａの指定後）、当該選択された農薬を示す使用資材情報及び当該農薬の使用年月日（例えば、本日）を示す使用年月日情報を、上記ＲＡＭに一時格納された作業情報及び圃場情報に対応付けて格納し、農薬の使用時期制限表示処理（ステップＳ３）に移行する。
【００８０】
一方、図７に示す画面７２において、使用者Ｕｋが操作部１０１を操作して害敵検索タブ７２ｂを指定すると、制御部１０８は、上記選択された圃場に対して使用可能な一又は複数の農薬に対応付けられている適用害敵の名称を農薬情報ファイル５１から読み込み、当該適用害敵のうち一つの適用害敵を選択（デフォルト設定）する。そして、制御部１０８は、当該選択した適用害敵に対応付けられている一又は複数の農薬（当該害敵に対して有効な農薬）の名称を農薬情報ファイル５１から読み込み、当該適用害敵の名称及び当該農薬の名称等が表示された図７に示す画面７３を表示部１０２におけるディスプレイ上に表示させる。これにより、使用者Ｕｋは、害敵から使用農薬を選択することができる。
【００８１】
図７の例では、画面７３における害敵リスト欄７３ａに、上記読み込まれた害敵の名称のリストが表示されているとともに、画面７３における農薬リスト欄７３ｃに、上記読み込まれた農薬（害敵リスト欄７３ａでカーソル７３ｂにより名称が選択されている害敵に対して有効な農薬）の名称が表示されている。ここで、害敵リスト欄７３ａにおける各害敵の名称は、使用者Ｕｋによる操作部１０１の操作により上下移動するカーソル７３ｂにより選択可能になっており、当該カーソル７３ｂにより新たな害敵の名称が選択された場合、当該害敵に対応付けられている一又は複数の農薬（当該害敵に対して有効な農薬）の名称が農薬情報ファイル５１から読み込まれ農薬リスト欄７３ｃに表示されることになる。
【００８２】
また、当該画面７３には、画面７２と同様、次へボタンが設けられており、使用者Ｕｋが操作部１０１を操作して次へボタンを指定すると、制御部１０８は、カーソル７３ｄにより名称が選択されている農薬を選択し、選択された農薬を使用者Ｕｋに確認させるための画面７４の表示を経て（画面７４に設けられた“はい”ボタン７４ａの指定後）、農薬の使用時期制限表示処理（ステップＳ３）に移行する。
【００８３】
次に、ステップＳ３における使用時期制限表示処理においては、制御部１０８は、上記選択された農薬に対応付けられている使用制限時期を示す使用制限時期情報及び農薬使用に当たっての使用時期制限の注意事項を記したコメントを示すコメント情報を農薬情報ファイル５１から読み込み、使用制限時期情報及びコメント情報が表示された図７に示す画面７５を表示部１０２におけるディスプレイ上に表示させる。これにより、農薬の使用時期に基づく使用制限情報が使用者Ｕｋに対して提示されることになる。なお、農薬の使用時期に基づく使用制限情報は、音声処理部１０３を通じてスピーカから音声出力されるように構成しても良い。
【００８４】
図７に示す画面７５には、ＯＫボタン７５ａが設けられており、使用者Ｕｋが操作部１０１を操作してＯＫボタン７５ａを指定すると、制御部１０８は、選択された一の農薬に対応する管理テーブルを参照し、当該農薬についての使用実績回数が使用制限回数に達しているか否かを判別する（ステップＳ４）。そして、当該農薬についての使用実績回数が使用制限回数に達している場合には（ステップＳ４：ＹＥＳ）、制御部１０８は、使用回数制限の注意事項（使用制限回数に達している場合の注意事項）を記したコメントを示すコメント情報を農薬情報ファイル５１から読み込み、当該コメント情報が表示された図７に示す画面７７を表示部１０２におけるディスプレイ上に表示（つまり、エラー表示）させ（ステップＳ５）、当該画面７７に設けられたＯＫボタン（図示せず）が指定されると、上記ＲＡＭに一時格納された作業情報及び圃場情報等を破棄し（つまり、事前記録は行わない）、当該処理を終了する。これにより、上記選択された農薬についての使用制限回数に基づく使用制限情報が使用者Ｕｋに対して提示されることになり、当該使用者Ｕｋが当該圃場に対して当該農薬を過剰に散布することを事前に防止することができる。なお、使用制限回数に基づく使用制限情報は、音声処理部１０３を通じてスピーカから音声出力されるように構成しても良い。
【００８５】
一方、上記選択された農薬についての使用実績回数が使用制限回数に達していない場合には（ステップＳ４：ＮＯ）、制御部１０８は、使用回数制限の注意事項（使用制限回数に達していない場合の注意事項）を記したコメントを示すコメント情報を農薬情報ファイル５１から読み込み、当該コメント情報が表示された図７に示す画面７６を表示部１０２におけるディスプレイ上に表示（確認表示：使用制限回数に基づく使用制限情報の提示（音声出力でも良い））させ（ステップＳ６）、当該画面７６に設けられたＯＫボタン７６ａが指定されると、希釈倍率入力処理（ステップＳ７）に移行する。
【００８６】
なお、上記選択された農薬についての使用実績回数が使用制限回数に達していない場合には（ステップＳ４：ＮＯ）、制御部１０８は、更に、当該農薬に対応する管理テーブルを参照し、当該農薬の含有成分についての使用実績回数が使用制限回数に達しているか否かを判別し、達している場合には、ステップＳ５に移行するように構成しても良い。これにより、当該農薬について使用制限回数に達していなくとも、当該農薬の含有成分を有する別の農薬が既に使用されている場合に、その成分についての過剰散布を事前に防止することができる。なお、上記農薬の含有成分についての使用実績回数が使用制限回数に達していない場合、ステップＳ６に移行されることになる。
【００８７】
次に、ステップＳ７における希釈倍率入力処理においては、制御部１０８は、先ず、上記選択された農薬の希釈倍率（推奨希釈倍率）を示す推奨希釈倍率情報を農薬情報ファイル５１から読み込み、当該推奨希釈倍率の範囲が表示された図７に示す画面７８を表示部１０２におけるディスプレイ上に表示させる。
【００８８】
図７の画面７８における符号７８ａ部には、上記推奨希釈倍率の範囲が表示されており、更に、当該画面７８には、希釈倍率入力欄７８ｂ及び次へボタン７８ｃが設けられている。そして、使用者Ｕｋが、操作部１０１を操作して、使おうとしている農薬の希釈倍率を希釈倍率入力欄７８ｂに入力し、次へボタン７８ｃを指定すると、制御部１０８は、当該入力された希釈倍率が推奨希釈倍率の範囲内にあるか否かを判別する（ステップＳ８）。当該入力された希釈倍率が推奨希釈倍率の範囲内にある場合には（ステップＳ８：ＹＥＳ）、制御部１０８は、当該入力された農薬の希釈倍率を示す希釈倍率情報を、上記ＲＡＭに一時格納された作業情報及び圃場情報に対応付けて格納し、使用量入力処理（ステップＳ１０）に移行する。一方、当該入力された希釈倍率が推奨希釈倍率の範囲内にない場合には（ステップＳ８：ＮＯ）、制御部１０８は、希釈倍率制限の注意事項を記したコメントを示すコメント情報を農薬情報ファイル５１から読み込み、当該コメント情報（例えば、希釈倍率が推奨の下限値（２０００倍）を下回っていますなどの情報）が表示された画面（図示せず）を表示部１０２におけるディスプレイ上に表示（つまり、エラー表示）させ（ステップＳ９）、当該画面に設けられたＯＫボタン（図示せず）が指定されると、ステップＳ７に戻る。これにより、農薬の希釈倍率が適正値範囲外になることを事前に防止することができる。
【００８９】
ここで、上記希釈倍率が推奨希釈倍率の範囲内にあるか否かの判断において、推奨希釈倍率の上限値（ここでは、３０００倍）を超えてもステップＳ１０に移行しないように構成しても良い。つまり、推奨希釈倍率の下限値を下回らなければエラーにはしなくても良い。
【００９０】
次に、ステップＳ１０における使用量入力処理においては、制御部１０８は、先ず、上記選択された農薬の使用量（推奨使用量）を示す推奨使用量情報を農薬情報ファイル５１から読み込み、当該農薬の推奨使用量の範囲(例えば、１０ａ当たりの推奨使用量の範囲)が表示された図７に示す画面７９を表示部１０２におけるディスプレイ上に表示させると共に、上記選択された圃場に対して予め設定された面積を示す面積情報を圃場情報ファイル５４から読み込み、当該面積に応じた農薬の推奨使用量の範囲を計算し（例えば、当該面積が１５ａであったとすると、上記１０ａ当たりの推奨使用量の範囲を１５ａ当たりの推奨使用量の範囲に換算）、当該計算後の推奨使用量の範囲を、図７に示すように画面７９の符号７９ａ部に表示させる。これにより、使用者Ｕｋは、選択した実際の圃場の面積に応じた農薬の推奨使用量を即座に把握することができる。
【００９１】
そして、図７に示す画面７９には、使用量入力欄７９ｂ及び次へボタン７９ｃが設けられている。これにより、当該農薬の使用量の入力が使用者Ｕｋに対して促されることになる。そして、使用者Ｕｋが、当該使用量の入力の促しに応じて、操作部１０１を操作して、使おうとしている農薬の使用量を使用量入力欄７９ｂに入力し、次へボタン７９ｃを指定すると、制御部１０８は、当該入力された使用量が推奨使用量の範囲内にあるか否かを判別する（ステップＳ１１）。当該入力された使用量が推奨使用量の範囲内にある場合には（ステップＳ１１：ＹＥＳ）、制御部１０８は、当該入力された農薬の使用量を示す使用量情報を、上記ＲＡＭに一時格納された作業情報及び圃場情報に対応付けて格納し、発生状況入力処理（ステップＳ１３）に移行する。一方、当該入力された使用量が推奨使用量の範囲内にない場合には（ステップＳ１１：ＮＯ）、制御部１０８は、当該使用量を示す使用量情報を格納せず、使用量制限の注意事項を記したコメントを示すコメント情報を農薬情報ファイル５１から読み込み、当該コメント情報（例えば、使用量が推奨の上限値（４５０ｌ）を超えていますなどの情報）が表示された画面（図示せず）を表示部１０２におけるディスプレイ上に表示（つまり、エラー表示）させ（ステップＳ１２）、当該画面に設けられたＯＫボタン（図示せず）が指定されると、ステップＳ１０に戻る。これにより、農薬の使用量が適正値範囲外になることを事前に防止することができる。
【００９２】
ここで、上記使用量が推奨使用量の範囲内にあるか否かの判断において、推奨使用量の下限値（ここでは、１５０ｌ）を下回ってもステップＳ１３に移行しないように構成しても良い。つまり、推奨使用量の上限値を超えなければエラーにはしなくても良い。
【００９３】
次に、ステップＳ１３における発生状況入力処理においては、制御部１０８は、先ず、図７に示す画面８０を表示部１０２におけるディスプレイ上に表示させる。
【００９４】
図７に示す画面８０には、発生状況リスト欄８０ａ、コメント入力欄８０ｃ、及び次へボタン８０ｄが設けられている。この発生状況リスト欄８０ａには、発生状況（予防のため（害虫が多いか否かは定かではないが予防のために散布）、少ない（害虫が少ない）、多い（害虫が多い））のリストが表示されており、各発生状況は、使用者Ｕｋによる操作部１０１の操作により上下移動するカーソル８０ｂにより選択可能になっている（この発生状況により農薬を散布した理由を後から分かる）。
【００９５】
また、使用者Ｕｋは、操作部１０１を操作して、自身が気づいたこと等をコメント入力欄８０ｃに入力することができる。そして、使用者Ｕｋが操作部１０１を操作して、次へボタン８０ｄを指定すると、制御部１０８は、上記カーソル８０ｂにより選択されている発生状況を示す発生状況情報と、上記コメント入力欄８０ｃに入力されたコメントとを、上記ＲＡＭに一時格納された作業情報及び圃場情報に対応付けて格納し、栽培記録（事前記録）を確認させるための画面（図示せず）の表示を経て（当該画面に設けられたＯＫボタン(図示せず)の指定後）、上記ＲＡＭに圃場情報に対応付けられて一時格納されている作業情報、使用年月日情報、使用資材情報、希釈倍率情報、使用量情報、及び発生状況情報等を、圃場情報に対応付けて記帳情報ファイル５５に登録し（ステップ１４）、且つ上記農薬についての使用実績回数及びその含有成分についての使用実績回数に１加算して記憶（管理テーブルを更新）し（ステップＳ１５）、当該処理を終了する。こうして、栽培記録（事前記録）が完了することになる。
【００９６】
なお、防虫の作業についての事前記録が行われる場合を例にとって説明したが、圃場ステージにおける防菌及び除草の作業についても図８に示す処理で事前記録を行うことができる。また、育苗ステージにおける防虫、防菌、除草の作業についても図８に示す処理で事前記録を行うことができるが、この場合、上記ステップＳ１で圃場が選択される代わりに品目が選択されることになる。また、その他の作業（施肥、収穫、出荷、土壌）についても、図６に示す画面６４における作業項目リスト６４ａの中から選択することにより、当該作業についての記録を行うことができる。また、土壌の作業についての記録の対象は、栽培前土壌新診断値及び栽培後土壌診断値であり、これらの情報は使用者Ｕｋにより入力され土壌情報ファイル５６に登録されることになる。
【００９７】
以上説明したように、使用者Ｕｋは、携帯型端末１ｋを用いて各作業に当たって栽培記録を行うことができ、その際に圃場に供給すべき農薬や肥料等の適正な使用方法等の有用な情報を、使用者Ｕｋに対してよりタイムリーに提示することができるので、使用者Ｕｋの記憶に頼らずに、安全で安心な農作物を栽培することができる。しかも、各農薬についての使用制限回数及び使用実績回数を管理しておき、携帯型端末１ｋを農薬の使用前に、事前に登録された複数の農薬の名称を表示し、表示された農薬のうちから選択された一の農薬についての使用実績回数が使用制限回数に達しているか否かを判別し、達している場合には、エラー表示して事前記録は行わないようにし、達していない場合には、当該農薬の希釈倍率や使用量等の入力を使用者Ｕｋに対して促して入力させて圃場情報に対応付けて記憶する（つまり、事前記録を行う）ように構成したので、当該使用者Ｕｋが当該圃場に対して当該農薬を過剰に散布することを事前に防止することができ、農薬取締法違反等を未然に防ぐこともできる。また、これにより、農業への新規参入を望む者等であっても、スムースに農業に従事させることができる。
【００９８】
また、選択された農薬についての使用実績回数が使用制限回数に達していない場合でも、当該農薬の含有成分についての使用実績回数が使用制限回数に達しているか否かを判別し、達している場合には、エラー表示して事前記録は行わないように構成すれば、当該農薬について使用制限回数に達していなくとも、当該農薬の含有成分を有する別の農薬が既に使用されている場合に、その成分についての過剰散布を事前に防止することができる。
【００９９】
以上のように記憶された（記帳情報ファイル５５等に登録された）情報は、例えば、図６に示す画面６５における３つの項目選択部において、それぞれ、栽培計画、カレンダ表示、カレンダ表示と選択され選択ボタンが指定されることにより表示されるカレンダの画面において閲覧可能となる。
【０１００】
図１０は、カレンダの画面の遷移例を示す図である。図１０に示す画面８１は、カレンダの初期画面である。当該画面８１において、使用者Ｕｋは、操作部１０１を操作して、期間選択部８１ａ部で閲覧対象の期間を選択し、育苗カレンダタブ８１ｂと圃場カレンダタブ８１ｃのうち圃場カレンダタブ８１ｃを選択し、圃場の状態（全て、栽培中、栽培終了）リスト欄８１ｄで何れかの圃場の状態をカーソル８１ｅにて選択して、次へボタン８１ｆを指定すると、制御部１０８は、図１０に示す画面８２を表示部１０２におけるディスプレイ上に表示させる。この画面８２には、各圃場における作業時期が一目でわかるように黒丸が表示されたカレンダ表示部８２ｂが設けられている。このカレンダ表示部８２ｂにおけるカーソル８２ｃにより選択された行に対応する圃場の名称、当該圃場で栽培される品目の名称及び栽培期間が符号８２ａ部に表示されることになる。
【０１０１】
そして、使用者Ｕｋにより詳細ボタン８２ｆが指定されると、図１０に示す画面８３が表示部１０２におけるディスプレイ上に表示される。この画面８３には、画面８２におけるカーソル８２ｃにより選択された行に対応する圃場に関する詳細な情報が表示される。また、当該画面８３に設けられた栽培タブ８３ａが使用者Ｕｋにより指定されると、図１０に示す画面８４が表示部１０２におけるディスプレイ上に表示される。この画面８４には、記録された作業の年月日を示す一覧が表示される。
【０１０２】
このようなカレンダの画面により、使用者Ｕｋは一目で対象圃場についての作業時期を把握することができ、その作業等についての詳細を迅速に確認することができる。
【０１０３】
また、携帯型端末１ｋの記憶部１０７に記憶されている農薬情報ファイル５１、肥料情報ファイル５２、使用者情報ファイル５３、圃場情報ファイル５４、記帳情報ファイル５５、及び土壌情報ファイル５６は、携帯型端末１ｋから専用ケーブルを介してＰＣ２ｋに送信可能になっている。例えば、使用者Ｕｋが操作部１０１を操作して送信したいファイルを選択することにより、当該選択されたファイルがＰＣ２ｋに送信される。
【０１０４】
また、携帯型端末１ｋの記憶部１０７に記憶されている農薬情報ファイル５１、肥料情報ファイル５２、使用者情報ファイル５３、圃場情報ファイル５４、記帳情報ファイル５５、及び土壌情報ファイル５６は、携帯型端末１ｋ間で無線通信部１０４を介して相互に交換することができる。
【０１０５】
なお、上記実施形態において、肥料の使用制限回数については特に規定しなかったが、肥料についての使用制限回数及び使用実績回数を管理テーブルで管理し、使用実績回数が使用制限回数に達していない場合に限り、農薬と同じように、事前記録を行うように構成しても良い。
[３. 情報管理サーバ３の構成及び機能等]
次に、図１１等を参照して、情報管理サーバ３の構成及び機能等について説明する。
【０１０６】
図１１は、情報管理サーバ３の概要構成例を示す図である。
【０１０７】
情報管理サーバ３は、図１１に示すように、ネットワークＮＷを介してＰＣ２ｋとの間で通信を行うための通信部３１、オペレーティングシステム（Ｏ／Ｓ），各種プログラム及びデータ等を記憶する記憶部（例えば、ハードディスク）３２、ＣＰＵ，ＲＯＭ，及びＲＡＭ等から構成された制御部３３等を備えて構成されており、これらの構成要素は、システムバス３４を介して相互に接続されている。
【０１０８】
制御部３３は、記憶部３２に記憶されたプログラムを読み出し実行することにより、例えばＷｅｂサーバとしての機能し、Ｗｅｂブラウザ機能を有するＰＣ２ｋからのリクエスト（例えばHyperText Transfer Protocolに基づくリクエスト）に応じて、所定のページ（例えばＨＴＭＬ（HyperText Markup Language）データ等からなる）をネットワークＮＷを介してＰＣ２ｋに送信したり、ＰＣ２ｋからアップロードされたファイルを記憶部３２に記憶するための制御を行うと共に、本発明における情報取得手段、制御手段、抽出手段、及び評価値算出手段として機能するようになっている。
（３．１  情報の集約）
例えば、ＰＣ２ｋにおいて、情報管理サーバ３により提供されるサイトのＵＲＬ（Uniform Resource Locator）がＷｅｂブラウザにより指定されることで、ＰＣ２ｋがネットワークＮＷを介して情報管理サーバ３に接続され、情報管理サーバ３から送信されたログインページがＰＣ２ｋのディスプレイ上に表示される。使用者Ｕｋは、このログインページ上に、自身の使用者ＩＤ及びパスワードを例えばキーボードにより入力してログインボタンを指定すると、情報管理サーバ３は、ログイン処理（予め登録されていた使用者ＩＤ及びパスワードとログインページ上に入力され送信されてきた使用者ＩＤ及びパスワードが一致するかの認証処理）を行い、ログインを許可した場合に、メインページをＰＣ２ｋに送信する。これにより、ＰＣ２ｋのディスプレイ上にメインページが表示される。
【０１０９】
このメインページ上には、ファイル登録ボタン、及び情報閲覧ボタンが設けられており、使用者Ｕｋがファイル登録ボタンを指定すると、ＰＣ２ｋのディスプレイ上にはファイル登録ページが表示されることになる。
【０１１０】
このファイル登録ページ上で、使用者Ｕｋが情報管理サーバ３に登録したいファイル（例えば、使用者情報ファイル、圃場情報ファイル、記帳情報ファイル、及び土壌情報ファイル）を指定し登録ボタンを指定すると、指定されたファイルがネットワークＮＷを介して情報管理サーバ３に送信（アップロード）されることになる。
【０１１１】
なお、農薬情報ファイル及び肥料情報ファイルについては、情報が使用者Ｕｋにより追加されない限り、同様の農薬情報ファイル及び肥料情報ファイルが情報管理サーバ３に記憶されているので、ＰＣ２ｋから情報管理サーバ３に送信されなくとも良い。
【０１１２】
このようにして各使用者Ｕｋの携帯型端末１ｋは、自己の携帯型端末１ｋに記憶されたファイルをＰＣ２ｋ経由で情報管理サーバ３にアップロードすることができ、情報管理サーバ３は、アップロードされたファイルを記憶部３２に記憶、各農家により記録された情報を集約することになる。
（３．２  情報の整理）
以上のように集約されたファイルにおける情報は、各農家のノウハウ等が反映された情報であり、これを有効に活用するため、当該情報は例えばＸＭＬデータとして整理される。
【０１１３】
例えば、情報管理サーバ３は、予め設定された時刻が到来すると、記憶されたファイルに基づきＸＭＬ（eXtensible Markup Language）データの作成処理を行う。
【０１１４】
図１２は、情報管理サーバ３の制御部３３におけるＸＭＬデータの作成処理を示すフローチャートである。
【０１１５】
図１２の処理において、制御部３３は、携帯型端末１ｋからアップロードされ記憶されているファイルのうち、処理待ちの（未だＸＭＬデータがされていない）ファイルに対応付けられた使用者ＩＤを特定する（ステップＳ２１）。
【０１１６】
次いで、制御部３３は、上記特定した使用者ＩＤが対応つけられた使用者情報ファイル及び圃場情報ファイルを読み込む（ステップＳ２２）。
【０１１７】
次いで、情報管理サーバ３は、読み込んだ圃場情報ファイルに登録されている圃場情報のうち一つを特定し（ステップＳ２３）、当該特定した圃場情報に対応付けられている記帳情報ファイル及び土壌情報ファイルを読み込む（ステップＳ２４）。
【０１１８】
次いで、読み込んだ使用者情報ファイル、圃場情報ファイル、記帳情報ファイル及び土壌情報ファイルに登録されている情報のうち、予め用意されたＸＭＬフォームデータに記述されたタグにより示される情報を抽出し、当該抽出した情報をＸＭＬフォームデータ内に組み込んでＸＭＬデータを作成し、当該ＸＭＬデータに上記使用者ＩＤを対応付けて記憶部１２に記憶する（ステップＳ２５）。
【０１１９】
次いで、制御部３３は、上記読み込んだ圃場情報ファイルに登録されている圃場情報のうち、未だ特定されていない圃場情報があるか否かを判別し（ステップＳ２６）、ある場合には（ステップＳ２６：ＹＥＳ）、ステップＳ２３に戻り、未だ特定されていない圃場情報を特定し、ない場合には（ステップＳ２６：ＮＯ）、ステップＳ２７に進む。
【０１２０】
そして、ステップＳ２７では、制御部３３は、未だ特定されていない使用者ＩＤがあるか否かを判別し、ある場合には（ステップＳ２７：ＹＥＳ）、ステップＳ２１に戻り、ない場合には（ステップＳ２７：ＮＯ）、当該処理を終了する。
【０１２１】
こうして作成されたＸＭＬデータの一例を図１３に示す。図１３の例では、１つのＸＭＬデータで１つの圃場について情報が管理されるようになっているが、１つのＸＭＬデータで複数の圃場について情報が管理されるように構成しても良い。
（３．３  情報の提供）
以上のように整理された情報に基づき情報閲覧ページを作成しこれを使用者Ｕｋに対して提供する例について説明する。
【０１２２】
例えば、使用者Ｕｋが、上記メインページに設けられた情報閲覧ボタンを指定すると、ＰＣ２ｋのディスプレイ上には条件設定ページが表示されることになる。この条件設定ページ上には、条件設定欄、閲覧項目設定欄及び検索ボタンが設けられており、使用者Ｕｋが、上記条件設定欄において所望の条件項目（例えば、品目）を指定して当該条件項目に対応する条件（条件の内容、例えばトマト）を入力し、さらに上記閲覧項目設定欄において所望の閲覧項目（例えば、施肥時期、防除時期、収穫量、土壌診断値等のうち少なくとも一つ）を指定し、検索ボタンを指定すると、入力又は指定された条件項目、条件、及び閲覧項目を含む検索リクエストが情報管理サーバ３に送信される。なお、使用者Ｕｋは、「条件項目」の組合せ、及び「閲覧項目」の組合せを任意に指定することができる。また、閲覧項目は、使用者Ｕｋが特に指定しなければ、デフォルト設定された項目となる。
【０１２３】
情報管理サーバ３は、ＰＣ２ｋからの検索リクエストに応じて、情報閲覧ページの提供処理を行う。
【０１２４】
図１４は、情報管理サーバ３の制御部３３における情報閲覧ページの提供処理の一例を示すフローチャートである。
【０１２５】
図１４の処理において、制御部３３は、先ず、検索リクエストから条件項目、条件、及び閲覧項目を取得し、これらを設定する（ステップＳ３１）。
【０１２６】
次いで、制御部３３は、検索対象となるＸＭＬデータの数を決定（例えば、ランダムで決定してもよいし、予め定められていても良い）し（ステップＳ３２）、当該決定した数分のＸＭＬデータを読み込む（ステップＳ３３）。
【０１２７】
次いで、制御部３３は、読み込んだＸＭＬデータのうち一つを特定し（ステップＳ３４）、当該特定したＸＭＬデータから、上記設定された条件項目についての条件を満たす例えば情報（例えば、圃場）を特定し、特定した情報についての上記設定された閲覧項目に示される情報を抽出する（ステップＳ３５）。
【０１２８】
次いで、制御部３３は、上記ＸＭＬデータのうち、未だ特定されていないＸＭＬデータがあるか否かを判別し（ステップＳ３６）、ある場合には（ステップＳ３６：ＹＥＳ）、ステップＳ３４に戻り、ない場合には（ステップＳ３６：ＮＯ）、ステップＳ３７に進む。
【０１２９】
ステップＳ３７では、制御部３３は、上記圃場毎に抽出した情報が閲覧項目毎に対比可能なように一覧形式で記述された情報閲覧ページ（閲覧データの一例）を作成し、これをＰＣ２ｋに送信して表示させる。これにより、ＰＣ２ｋのディスプレイ上に情報閲覧ページが表示される。
【０１３０】
図１５は、使用者Ｕ１のＰＣ２１のディスプレイ上に表示された情報閲覧ページの一例を示す図である。
【０１３１】
図１５（Ａ）は、「条件項目：条件」として、「地域：千葉」＋「品目：トマト」＋「栽培時期：2007/4/1-2007/7/31」が設定され、「閲覧項目」として、「圃場の名称」、「圃場の面積」、「平均収量」、「施肥時期」、「肥料の名称」、「防除時期」、「農薬の名称」、「収穫時期」、及び「収穫量」が設定された場合の情報閲覧ページの一例を示しており（肥料や農薬の使用量等が設定されても良い）、使用者Ｕ１は、当該ページにより、該当地域の圃場における施肥時期、防除時期、及び収量等についての他の農家のノウハウを習得することができる。例えば、使用者Ｕ１は、図１５（Ａ）に示す情報閲覧ページ上で、自身の圃場と他の農家の圃場における収穫量を対比したところ、他の農家の収穫量が多いことが分かり、栽培暦（施肥時期及び防除時期）を対比してみたところ、他の農家の圃場は自身の圃場に比べて施肥が一回多くなっていることが分かる。そして、使用者Ｕ１は、他の農家の圃場では収穫１０日前に肥料Ｂを投入している（これは、当該他の農家では収穫１０日前に肥料Ｂを投入すると収穫量が良くなること経験上知っていた）ことに気づく。
【０１３２】
一方、図１５（Ｂ）は、「条件項目：条件」として、「地域：千葉」＋「品目：トマト」＋「栽培時期：2007/4/1-2007/7/31」が設定され、「閲覧項目」として、「圃場の名称」、「圃場の面積」、「平均収量」、「土壌診断値」、「施肥時期」、「肥料の名称」、「収穫時期」、及び「収穫量」が設定された場合の情報閲覧ページの一例を示しており、使用者Ｕ１は、当該ページにより、該当地域の圃場における施肥時期、土壌診断値及び収量等についての他の農家のノウハウを習得することができる。例えば、使用者Ｕ１は、図１５（Ｂ）に示す情報閲覧ページ上で、肥料Ｂはどのような時期に施肥するとよいかＮＰＫ（土壌内のＮ：窒素、Ｐ：燐酸、Ｋ：カリウム）値で調べたところ、栽培後のＮＰＫ値が栽培前のＮＰＫ値よりも低くなっていることから栽培後に施肥をしていることに気づく（つまり、収穫が終わるとＮＰＫ値を調整するため、次の栽培前にお礼肥をしている）。
【０１３３】
なお、上記においては、上記圃場毎に抽出された情報が閲覧項目毎に対比可能なように一覧形式で記述された情報閲覧ページが作成され表示されるように構成したが、表示形式はこれに限定されるものではなく、上記圃場毎に抽出された情報が記述された情報閲覧ページであればどのような表示形式を採っても良い。
【０１３４】
以上のような情報閲覧ページにより、使用者Ｕ１は、他の農家のノウハウ等を簡単に習得することができる。また、これにより、農業への新規参入を望む者等であっても、スムースに農業に従事させることができる。
【０１３５】
なお、情報管理サーバ３に表示部を備えさせ、上記作成された情報閲覧ページを当該表示部におけるディスプレイに表示させるように構成しても良い。また、情報管理サーバ３が、上記読み込んだＸＭＬデータをＰＣ２ｋに送信し、ＰＣ２ｋが上記ステップＳ３４〜Ｓ３６の処理を行い、上記圃場毎に抽出した情報が閲覧項目毎に対比可能なように一覧形式で記述された閲覧データを作成し、これをディスプレイ上に表示させるように構成しても良い。
【０１３６】
更に、本実施形態においては、上記集約、整理された情報に基づく最優秀農家を特定するための計算により、複数の農家のうち最も優秀な農家を特定することができ、その農家のノウハウを他の農家に対して提供することができる。最優秀農家を特定するための計算では、上記集約、整理された情報から計算対象のパラメータが抽出され、抽出されたパラメータに基づいて評価値が算出され、当該評価値の最も高い農家が最優秀農家として特定される。
【０１３７】
ここで、上記パラメータとしては、肥料の使用量、肥料の使用実績回数、農薬の使用量、農薬の使用実績回数、品目の単位面積（例えば１ａ）当たりの収穫量、品目の等級（品目の品質を表すグレード（例えば、１、２、３の数値で表され、数値が大きいほど品質が良い））、品目の栽培期間、土壌診断値等、複数種類が挙げられ、どれを計算対象のパラメータとするかは任意である。なお、品目の等級については、例えば携帯型端末１ｋにおいて収穫量や出荷量と同じように使用者Ｕｋにより入力され記帳情報ファイルに組み込まれて情報管理サーバ３に送信される。
【０１３８】
また、上記評価値は、例えば上記各パラメータの大小に応じて算出される得点（例えば１〜１００点までの幅で変動）が積算されることにより得ることができる。例えば、肥料の使用量、肥料の使用実績回数、農薬の使用量、及び農薬の使用実績回数については少ないほど良好といえるので、これが少ないほど高得点（１００点に近い）になるように計算される。また、品目の単位面積当たりの収穫量、及び品目の等級については多いほど良好といえるので、これが多いほど高得点になるように計算される。また、品目の栽培期間については短期間ほど良好といえるので、これが短期間ほど高得点（１００点に近い）になるように計算される。
【０１３９】
更に、各パラメータには、パラメータの重要度に応じた重み付けが設定されるようにし、各パラメータの大小に応じて計算された得点に対して重み付けが乗算されるようにすればより望ましい。例えば、品目の単位面積当たりの収穫量については重要度が高いといえるので、重み付けを５０％とし、上記計算された得点に０．５（５０％）が乗算される。また、品目の等級については次に重要度が高いといえるので、重み付けを２５％とし、上記計算された得点に０．２５（２５％）が乗算される。また、肥料の使用量、肥料の使用実績回数、農薬の使用量、及び農薬の使用実績回数についてはその次に重要度が高いといえるので、重み付けを１５％とし、上記計算された得点に０．１５（１５％）が乗算される。また、品目の栽培期間については重要度が低いといえるので、重み付けを１０％とし、上記計算された得点に０．１（１０％）が乗算される。なお、上記重要度の考え方及び重み付けはあくまで一例であり、例えば、品目の栽培期間の重要度を高くして、ある品目の栽培期間が短い圃場の評価値が高くなるようにしても良い。
【０１４０】
図１６は、情報管理サーバ３の制御部３３における最優秀農家を特定するための計算処理の一例を示すフローチャートである。図１６の処理は、例えば、使用者Ｕｋが、上記情報閲覧ページに設けられた最優秀農家特定ボタンを指定することにより、最優秀農家特定計算リクエストが情報管理サーバ３に送信されることにより開始される。なお、使用者Ｕｋは、計算対象とすべき品目を指定することができる。
【０１４１】
図１６の処理において、制御部３３は、先ず、計算対象とすべき品目（例えば、使用者Ｕｋにより指定された品目）を設定する（ステップＳ４１）。
【０１４２】
次いで、制御部３３は、設定された品目が含まれるＸＭＬデータを読み込む（ステップＳ４２）。
【０１４３】
次いで、制御部３３は、読み込んだＸＭＬデータのうち一つを特定し（ステップＳ４３）、当該特定したＸＭＬデータから、計算対象のパラメータを抽出する（ステップＳ４４）。例えば、上記設定された品目が栽培される圃場に対する肥料の使用量、当該品目の単位面積当たりの収穫量、当該品目の等級、及び当該品目の栽培期間がパラメータとして抽出される。
【０１４４】
次いで、制御部３３は、抽出した各パラメータに対応する得点を計算する（ステップＳ４５）。かかる計算により、例えば、肥料の使用量に対する得点が８０点、品目の単位面積当たりの収穫量に対する得点が９０点、品目の等級に対する得点が６０点、品目の栽培期間に対する得点が４０点、というように算出される。
【０１４５】
次いで、制御部３３は、算出した各パラメータに対応する得点に対して重み付けを乗算して得点調整値を計算する（ステップＳ４６）。かかる計算により、例えば、肥料の使用量に対する得点調整値が８０点×０．１５＝１２点、品目の単位面積当たりの収穫量に対する得点調整値が９０点×０．５＝４５点、品目の等級に対する得点調整値が６０点×０．２５＝１５点、品目の栽培期間に対する得点調整値が４０点×０．１＝４点、というように算出される。
【０１４６】
次いで、制御部３３は、算出した各得点調整値を総和して合計得点を計算する（ステップＳ４７）。
【０１４７】
次いで、制御部３３は、算出した合計得点を評価値として、当該特定されたＸＭＬデータに対応付けられている使用者ＩＤに対応付けて記憶する（ステップＳ４８）。
【０１４８】
次いで、制御部３３は、未だ特定されていないＸＭＬデータがあるか否かを判別し（ステップＳ４９）、ある場合には（ステップＳ４９：ＹＥＳ）、ステップＳ４３に戻り（未だ特定されていないＸＭＬデータを特定し上記と同様の処理を行う）、ない場合には（ステップＳ４９：ＮＯ）、上記記憶された評価値のうち最も高い（或いは、上位所定数でもよい）評価値を特定する（ステップＳ５０）。
【０１４９】
次いで、制御部３３は、特定した最高評価値に対応付けられた使用者ＩＤに対応するＸＭＬデータから生産者（農家）を最優秀農家として特定し、その氏名等を抽出する（ステップＳ５１）。ここで、抽出される情報としては、最優秀農家の氏名の他にも、例えば、上記条件設定ページ上で指定され設定された閲覧項目に示される情報が挙げられる。
【０１５０】
次いで、制御部３３は、特定した最高評価値及び抽出した最優秀農家の氏名等が記述された情報閲覧ページ（評価値に基づく情報が掲載）を作成し、これをＰＣ２ｋに送信して（ステップＳ５２）表示させる。こうして、ＰＣ２ｋのディスプレイ上に情報閲覧ページ（例えば、最優秀農家（生産者）に関する図１５に示される情報が掲載）が表示される。
【０１５１】
これにより、使用者Ｕ１は、最優秀の農家の圃場における施肥時期、防除時期、及び収量等についてのノウハウ等を簡単に習得することができる。また、これにより、農業への新規参入を望む者等であっても、スムースに農業に従事させることができる。
【０１５２】
なお、計算対象とすべき品目が複数ある場合、品目毎に評価値が算出され、当該品目の評価値が農家毎に合計され、得られた総評価値が最も高い農家が最優秀農家として特定されることになる。
【０１５３】
また、上記例においては、評価値に基づく情報として、最高評価値及び最優秀農家の氏名等の情報としたが、当該氏名については表示させないようにしても良い。また、例えば評価値が高い上位所定数の圃場についての情報（例えば、使用者Ｕｋにより任意に指定された「条件項目」や「閲覧項目」に該当する情報）が記述された情報閲覧ページが表示されるように構成しても良い。例えば、品目の栽培期間の重要度を高くして、ある品目の栽培期間が短い（評価値が高い）圃場についての情報が記述された情報閲覧ページが表示されるように構成し、栽培期間の短い圃場における施肥時期、防除時期、肥料や農薬の使用量、使用回数等の全部又は一部が把握できるようにしても良い。
【０１５４】
また、情報管理サーバ３に表示部を備えさせ、上記作成された情報閲覧ページ（例えば、最優秀農家についての図１５に示される情報が掲載）を当該表示部におけるディスプレイに表示させるように構成しても良い。また、情報管理サーバ３が、上記読み込んだＸＭＬデータをＰＣ２ｋに送信し、ＰＣ２ｋが上記ステップＳ４３〜Ｓ５１の処理を行い、上記特定した最高評価値及び抽出した最優秀農家の氏名等が記述された情報閲覧ページを作成し、これをディスプレイ上に表示させるように構成しても良い。
【０１５５】
更に、上記実施形態において、圃場ファイル５４やＸＭＬデータは、一例として、使用者ＩＤに紐付けられて管理されるように構成したが、この他にも、圃場、又は品目等毎に紐付けられるようにし、どの情報からも情報検索が可能なよう管理されても良い。
【図面の簡単な説明】
【０１５６】
【図１】本発明の一実施形態に係る農業教示システムＳに概要構成例を示す図である。
【図２】携帯型端末１ｋの概要構成例を示す図である。
【図３】農薬情報ファイル及び肥料情報ファイルに格納される情報例を示す図である。
【図４】使用者情報ファイル、圃場情報ファイル、記帳情報ファイル、及び土壌情報ファイルに格納される情報例を示す図である。
【図５】農薬及び含有成分の使用制限回数と使用実績回数を管理するための管理テーブルの一例を示す図である。
【図６】表示部１０２におけるディスプレイ上に表示された画面の遷移例の一部を示す図である。
【図７】圃場ステージにおける作業についての記録を行うための画面の遷移例を示す図である。
【図８】圃場ステージにおける防虫の作業についての事前記録のための処理の一例を示すフローチャートである。
【図９】ある使用者Ｕｋの圃場マップの一例を示す図である。
【図１０】カレンダの画面の遷移例を示す図である。
【図１１】情報管理サーバ３の概要構成例を示す図である。
【図１２】情報管理サーバ３の制御部３３におけるＸＭＬデータの作成処理を示すフローチャートである。
【図１３】作成されたＸＭＬデータの一例を図１３に示す。
【図１４】情報管理サーバ３の制御部３３における情報閲覧ページの提供処理の一例を示すフローチャートである。
【図１５】使用者Ｕ１のＰＣ２１のディスプレイ上に表示された情報閲覧ページの一例を示す図である。
【図１６】情報管理サーバ３の制御部３３における最優秀農家を特定するための計算処理の一例を示すフローチャートである。
【符号の説明】
【０１５７】
１ｋ  携帯型端末
２ｋ  ＰＣ
３  情報管理サーバ
ＮＷ  ネットワーク
Ｓ  農業教示システム
３１  通信部
３２  記憶部
３３  制御部
３４  システムバス
１０１  操作部
１０２  表示部
１０３  音声処理部
１０４  無線通信部
１０５  ＰＣ接続部
１０６  バーコードリーダ
１０７  記憶部
１０８  制御部
１０９  電源部
１１０  システムバス
【図１】
2009028005.tif 000003
【図２】
2009028005.tif 000004
【図３】
2009028005.tif 000005
【図４】
2009028005.tif 000006
【図５】
2009028005.tif 000007
【図６】
2009028005.tif 000008
【図８】
2009028005.tif 000009
【図９】
2009028005.tif 000010
【図１１】
2009028005.tif 000011
【図１２】
2009028005.tif 000012
【図１３】
2009028005.tif 000013
【図１４】
2009028005.tif 000014
【図１５】
2009028005.tif 000015
【図１６】
2009028005.tif 000016
【図７】
2009028005.tif 000017
【図１０】
2009028005.tif 000018